(57)【要約】【課題】本発明は動画コンテンツ視聴判定システムに関し，放送されたまたはＤＶＤ等の録画されたものを再生した動画コンテンツを正規に視聴したかを確実に判定することを目的とする。【解決手段】動画コンテンツには順番に変化するユニークなコードである視聴コードまたはフレーム番号を予め決められた一定間隔毎に挿入し，動画コンテンツが入力される受信・再生端末は，動画コンテンツの再生・表示手段で再生した信号から視聴コードまたはフレーム番号を読み取るコード読取部と，読み取った視聴コードまたはフレーム番号とその読取時の時刻を記憶する時間測定・記憶部と，時間測定・記憶部に記憶したデータから，動画コンテンツを正規に視聴したか判定して保持する判定部とを備え，判定部による判定結果を通信回線を介して外部へ送信する送受信部を備えるよう構成する。【選択図】図１
2009017443.tif 000002
【特許請求の範囲】
【請求項１】
放送または記録媒体の動画コンテンツを受信・再生端末において順番に正規に視聴したかを判定する動画コンテンツ視聴判定システムにおいて，
前記動画コンテンツには順番に変化するユニークなコードである視聴コードまたはフレーム番号を予め決められた一定間隔毎に挿入され，
前記動画コンテンツが入力される受信・再生端末は，前記動画コンテンツの再生・表示手段で再生した信号から前記視聴コードまたはフレーム番号を読み取るコード読取部と，前記コード読取部で読み取った前記視聴コードまたはフレーム番号とその読取時の時刻を記憶する時間測定・記憶部と，前記時間測定・記憶部に記憶したデータから，動画コンテンツを正規に視聴したか判定して保持する判定部とを備え，
前記判定部による判定結果を通信回線を介して外部へ送信する送受信部を備えることを特徴とする動画コンテンツ視聴判定システム。
【請求項２】
請求項１において，
前記動画コンテンツの先頭位置にコンテンツヘッドデータを設定し，該コンテンツヘッドデータとして前記視聴コードまたはフレーム番号の先頭番号や終了番号と共に視聴コードまたはフレーム番号が出現する間隔（時間）が設定され，
前記判定部は，前記時間測定・記憶部で動画コンテンツの再生により記憶した視聴コードまたはフレーム番号の読取時の時刻情報から再生時の間隔を測定し，前記コンテンツヘッドデータに設定された間隔の範囲であるかを判定することにより正規に視聴したか判定することを特徴とする動画コンテンツ視聴判定システム。
【請求項３】
請求項１において，
前記動画コンテンツの中の特定の部分に対して，前記視聴コードまたはフレーム番号とは異なる構成の特定視聴コードまたはフレーム番号を設定し，
前記読取部は前記特定視聴コードまたはフレーム番号を読取って，前記時間測定・記憶部に読取時の時刻と共に記憶し，前記判定部は，前記時間測定・記憶部に記憶した前記特定視聴コードまたはフレーム番号のデータから，前記動画データ中の特定の部分を正規に視聴したか判定することを特徴とする動画コンテンツ視聴判定システム。
【請求項４】
請求項１乃至３において，
前記動画コンテンツ中の最終視聴コードまたは最終フレーム番号を前記読取り部で検出するか，または予め設定された時間になると，前記判定部の判定結果を前記送受信部からサービスセンターへ送信することを特徴とする動画コンテンツ視聴判定システム。
【発明の詳細な説明】
【技術分野】
【０００１】
本発明は動画コンテンツを正しく視聴したかどうかを判定して通知を行う動画コンテンツ視聴判定システムに関する。
【背景技術】
【０００２】
従来，テレビ放送の視聴率調査のようにリアルタイムでのテレビジョンの視聴をテレビ受像機の電源オンと設定チャンネルで判定する方法により行われているが，リアルタイムで放送されるコンテンツについての視聴に限られており，テレビ放送を録画したものや，貸し出しまたは購入した動画コンテンツをユーザが任意の時間に視聴した場合に正しく視聴したかの判定をする技術は知られていない。
【０００３】
従来の動画情報の視聴結果を把握する方法が提案されている（特許文献１参照）。図１０は提案された方法の動作シーケンスを示し，図の左端がサーバ側処理，その右側がクライアント側処理を表し，ユーザがクライアント側（クライアント端末）からインターネットを経由してサーバに問い合わせると（図１０の(1))，サーバ側のサーブレット（Servlet)とクライアント側のアプレット(Applet)の間で通信が可能となる。サーバ側のサーブレットはクライアント側からのアドレス等の情報から当該クライアント（ユーザ）の閲覧履歴に基づいて次に提供すべき広告情報（動画像）を決定し，クライアント側に広告情報のサムネイルと再生・非再生を選択させる画面をブラウザ(Browser) で表示し（同(2),(3))，クライアント端末で再生を選択すると，サーバは選択された広告情報のファイル形式に開始フラグと終了フラグを埋め込み, そのフラグを認識できるアプレット（監視プログラム）を生成して動画情報の送信前にクライアント端末に送信して，動画の配信を行う（同(4) 〜(6))。
【０００４】
クライアント側ではこの監視プログラムによりサーバから配信された動画を再生して開始フラグを検出すると時間計数を開始し，動画情報の予定再生時間に達し終了フラグが認識されると動画情報の再生終了を検出して正常終了をサーバに通知し（図１０の(9))，予定再生時間になっても終了フラグを検出しない場合やユーザが強制終了をすると途中終了（図１０の(8))の通知をする。
【特許文献１】特開２００２−１４９８９７号公報
【発明の開示】
【発明が解決しようとする課題】
【０００５】
上記図１０に示す技術によれば，クライアント端末のユーザに対して閲覧履歴に基づいてサーバで選択されて提供された広告の動画情報の視聴状況をサーバからクライアント端末に送る監視プログラムにより監視し，広告情報を正確に視聴したかの判定をするものであり，且つ短時間の広告情報を見たかの判定を行うものであり，広告情報より長時間の動画情報をリアルタイムで放送または配信されたコンテンツや，記録装置で録画したコンテンツの再生を正規に視聴（全ての内容を元の時間通りに順番に視聴）したかの判定をするものではない。すなわち，従来の技術では次の(1) 〜(3) のような問題がある。
【０００６】
(1) 放送された動画コンテンツを自分でテープやＤＶＤ等に録画しても，その録画されたものを再生して視聴されないことが頻繁にあり，コンテンツの価値をユーザに評価してもらえない場合がある。（評価してもらうために，見る動機を与え，正規に見たことを検証して通知されると，それに対してポイントを与える等の特典を与える）
(2) 動画コンテンツをリアルタイムでも録画したものでも，正規に視聴したかどうかの判定が困難である。
【０００７】
(3) 動画コンテンツ全体ではなく, コンテンツ中の一部のみの視聴状況を知りたい場合があるが，実現する方法がない。
【０００８】
本発明は上記の問題を解決すること，すなわち，放送されたまたはＤＶＤ等の録画されたものを再生した動画コンテンツを正規に視聴したかを確実に判定することができる動画コンテンツ視聴判定システムを提供することを目的とし，またコンテンツ毎に正規視聴の条件を設定可能としコンテンツ視聴判定システムを提供することも目的の一つである。
【課題を解決するための手段】
【０００９】
図１は本発明の基本構成を示す。図中，１は放送局からのテレビ信号，録画信号の再生信号または市販の動画コンテンツの再生信号等を受信・再生して表示する受信・再生端末，１０は再生・表示部，１１はコード（番号）読取部，１２は時間測定・記憶部，１３は判定部，１４は送受信部，２は通信回線，３はサービスセンタ，４は録画・再生端末，５は放送局，６は市販コンテンツである。
【００１０】
放送形式のリアルタイムな動画コンテンツや，市販されているかまたは自分が録画した動画コンテンツ等の何れかの動画コンテンツには，先頭にコンテンツ名，動画コンテンツ内の一定間隔毎に記録されて順番に変化するコードである視聴コード（または設定フレーム番号）の開始番号，終了番号，及び所定間隔（時間）が設定されている。なお，動画コンテンツ内の特定部分についての視聴を判定する場合，その部分の特定視聴コードの開始，終了及び間隔（時間）をコンテンツヘッドデータに設定して，動画コンテンツ内の特定部分にそれらの特定視聴コード（前記通常の視聴コードまたはフレーム番号とはコード構成が異なる）が設定されている。この視聴コード（または設定フレーム番号）は順番にユニークなコードで，動画データ中に一定間隔でフレーム間等に挿入される。また，設定フレーム番号は予め判明しているフレーム番号の内，挿入した視聴コードに相当するフレームの番号である。視聴コード（フレーム番号）の挿入間隔はコンテンツ内容により自由に設定でき，また視聴コード状況の確認・判定に要求されるきめ細かさに応じて間隔を変えることができる。
【００１１】
放送局５または録画・再生端末４から上記のコンテンツヘッドデータや視聴コードが設定された動画コンテンツが受信・再生端末１に入力されると，再生・表示部１０において再生表示されると共に，コード読取部１１において，動画コンテンツの先頭のコンテンツヘッドデータを検出し，時間測定・記憶部１２に供給されて記憶され，続いて動画コンテンツの再生・表示が行われると共に視聴コード（または設定フレーム番号，以下単に視聴コードという）が開始番号を先頭として，設定された間隔毎に発生する視聴コードを順番に読取り，時間測定・記憶部１２に入力されて時刻情報と共に入力されて記憶される。このような再生・表示が行われて時間測定・記憶部１２に記憶された情報は，判定部１３において視聴コードが開始番号から順番に検出されているかの判定と，順次検出される各視聴コードが検出された時刻情報を用いて各視聴コードの再生間隔を検出して，各再生間隔がコンテンツヘッドデータに設定された間隔（時間）の範囲であるか判定する。
【００１２】
各視聴コードを順番に検出し，それらの検出間隔も設定された範囲内であることが視聴コードの終了番号を検出するまで判定されると，判定部１３は当該動画コンテンツについて正規の視聴をしたものと判定してその判定結果を記憶する。判定部１３において視聴の途中で正規でない視聴（視聴コードが飛んだり，時間間隔がコンテンツヘッドデータに設定された時間より短い等）であると判定すると判定部１３で非正規の視聴として記憶する。判定結果は，視聴の終了または予め設定した時刻になると送受信部１４が駆動され，送受信部１４は通信回線２を介してサービスセンタ３に送信される。
【００１３】
なお，動画コンテンツの中の特定部分についての視聴判定を正確に行いたい場合，特定視聴コードの開始，終了及び間隔（時間）をコンテンツヘッドデータに設定して，動画コンテンツ内の特定部分に設定された特定視聴コードを検出して，番号の順番，視聴コードの間隔のチェックを行うことで，上記と同様の原理で特定領域の視聴判定を行うことができる。
【００１４】
サービスセンタ３は，受信・再生端末１から動画コンテンツ（題名と共に）を正規視聴したことを表す通知を受付けると，その受信・再生端末１の利用者に対する付加価値（例えば，ポイント）を与える記録を行い，受付結果または受付結果と付加価値を含むデータを通信回線２を介して受信・再生端末１に送信する。これを受信・再生端末１の送受信部１４で受信し，再生・表示部１０に表示することで，受信・再生端末１の利用者は動画コンテンツを視聴したことによる付加価値を得たことを知ることができる。
【発明の効果】
【００１５】
本発明により次のような効果を奏することができる。
【００１６】
(1) 動画コンテンツ視聴に対して付加価値が与えられることで，録画されたものだけでなく，リアルタイム視聴であっても，利用者（視聴者）の視聴意欲が高まり，それがコンテンツの価値を高めることにつながる。
【００１７】
(2) 動画コンテンツの全体を正規に視聴したかどうかを正確に判定できるので, コンテンツ内容を確実に理解してもらえ，正しく評価してもらえる。
【００１８】
(3) 動画コンテンツ中の特に視聴させたい部分について視聴確認が可能であり，例えばスポンサーに対して広告視聴の正確なデータを示すことが可能となる。
【発明を実施するための最良の形態】
【００１９】
図２は本発明による動画コンテンツの構成例を示す。図中，２０，２１は放送局（図１の５）から放送または録画を再生し動画コンテンツまたは市販コンテンツ（図１の６）を再生した動画コンテンツを構成する２つのデータを表し，２０は先頭部分のコンテンツヘッドデータ，２１は動画内容の部分である動画コンテンツデータである。
【００２０】
コンテンツヘッドデータ２０の部分を構成するデータとして，２０ａはコンテンツ名称，２０ｂはコンテンツを表すコード（番号），２０ｃは受信・再生端末１からの視聴データ（判定データ）をサービスセンタ３で受付ける方法を表す受付方法コード，２０ｄは動画データ内の先頭位置を表す視聴コード（設定フレーム番号）の開始番号＋動画コンテンツ内の特定部分の視聴を判定するための特定視聴コード（設定フレーム番号）の開始番号，２０ｅは動画データの終了位置を表す視聴コード（設定フレーム番号）の終了番号＋動画コンテンツ内の特定部分の視聴を判定するための特定視聴コード（設定フレーム番号）の終了番号，２０ｆは視聴コード（設定フレーム番号）が設定される間隔（時間）＋動画コンテンツ内の特定部分の視聴を判定するための特定視聴コード（設定フレー番号）が設定される間隔（時間）が設定される。なお，上記受付方法コード２０ｃとして，(1) 正規の視聴がなされたもののみを受付ける方法，(2) 正規の視聴で且つ受付順，(3) 正規の視聴で且つ制限時間内，(4) 正規の視聴で且つ制限時間内での受付順，等がある。
【００２１】
図２の動画コンテンツデータ２１は，先頭の位置に開始を表す視聴コード（または設定フレーム番号）２１ａ（コンテンツヘッドデータの２０ｄ）が設定され，その後に動画コンテンツのデータ２１ｂが配置され，コンテンツヘッドデータ２０内の上記の間隔（時間）２０ｆに設定された一定間隔（一定時間）毎に視聴コード（設定フレーム番号）２１ｃが設定され，動画コンテンツデータの最終位置には終了を表す視聴コード２１ｄ（コンテンツヘッドデータの２０ｅ）が設定される。また，動画コンテンツデータの特定部分２２に対しては，特定視聴コード（設定フレーム番号）の先頭位置と，中間位置（一定間隔（時間）毎）及び終了位置に各視聴コード２２ａ，２２ｂ，２２ｃが設定される。
【００２２】
これらの視聴コード（設定フレーム番号）は順番にユニークなコードで，動画コンテンツデータ中に一定間隔でフレーム間等に挿入される。また，設定フレーム番号は予め判明しているフレーム番号の内，挿入した視聴コードに相当するフレームの番号である。このコードまたは番号の出現順と再生間隔を測ることで，視聴の状況を判定することができる。なお，視聴コードが順番にユニークである必要は，コンテンツの変更（チャネル変更やコンテンツ入れ換え）や途中の抜けを判断するためである。また，視聴コードまたは設定フレーム番号の間隔は，視聴状況の確認・判定の木目細かさによって設定するもので，コンテンツ内容によっても自由に設定可能とする。
【００２３】
図３はコンテンツ視聴コード確認のフローチャートである。このフローは上記図２に示す構成の動画コンテンツを再生（または受信）して，上記図１の受信・再生端末１のコード（番号）読取部１１，時間測定・記憶部１２及び判定部１３の相互の動作により実行される。
【００２４】
動画コンテンツを再生すると（図３のＳ１），コンテンツヘッドデータより視聴コード（設定フレーム番号）の開始，終了，間隔を検出して記憶する（同Ｓ２）。続いて動画コンテンツより視聴コード（設定フレーム番号）を検出し視聴コード（設定フレーム番号）と時刻（受信・再生端末１が備える時計の時刻）を記憶する（図３のＳ３）。なお，これらの記憶は時間測定・記憶部（図１の１２）で行われる。次に時間測定・記憶部１２に記憶されたデータについて順番に取り出して判定する。すなわち，視聴コード（設定フレーム番号）は終了コード（番号）であるか判定し（図３のＳ４），終了コードである場合は視聴状況の判定・記憶（後述する図４に示す）を行い（同Ｓ５），終了コードでない場合はコンテンツ再生中か判定する（同Ｓ６）。ここでコンテンツ再生中でないと上記ステップＳ５（視聴状況の判定・記憶）に移行し，再生中であると視聴コンテンツの変更があるか判定し（図３のＳ７），変更があると上記ステップＳ５に移行し，コンテンツ変更がないとステップＳ３に戻り，上記の動作を繰り返す。上記のステップＳ６のコンテンツが再生中であるかどうかや，ステップＳ７の視聴コンテンツ変更を監視するのは，再生の途中で利用者が再生を止めてしまった場合や，リアル放送等の時に途中でチャネル変更を行った場合に視聴コードまたは設定フレーム番号の連続性から判断して，対象のコンテンツ再生が終了したと判断するものである。なお，図３のフローチャートには示していないが，受信・再生端末１の電源が入っていることや再生のための各種設定（チャネル設定，モード設定等）が行なわれていることは当然の前提としている。
【００２５】
図４は正規視聴判定のフローチャートであり，上記図３のステップＳ５において実行される。ここでは，時間測定・記憶部１２に記憶した視聴コード（または設定フレーム番号）が開始コード（番号）から終了コード（番号）まで順番に検出されているか判定し（図４のＳ１），順番に検出されていると判定されると視聴コード（または設定フレーム番号）の番号順に対応する時刻の間隔が視聴間隔コード（番号）に示された間隔（時間）の範囲内であるか判定する（図４のＳ２）。ここで時刻の間隔が視聴間隔コード（番号）に示された間隔（時間）の範囲内であると判定されると，正規の視聴と判定し（図４のＳ３），範囲内でないと判定されると不良視聴と判定し（同Ｓ４），正規視聴または不良視聴の判定結果のデータを記憶し，メッセージとして送受信部（図１の１４）に送信される（図４のＳ５）。
【００２６】
図５は特定部分のコンテンツ視聴確認のフローチャートである。図２に示す動画コンテンツの中の特定部分２２の視聴確認を行うためであり，コンテンツの再生を行うと（図５のＳ１），コンテンツヘッドデータより視聴コード（設定フレーム番号）の開始，終了，間隔及び特定視聴コード（設定フレーム番号）の開始，終了，間隔を検出して記憶する（同Ｓ２）。動画コンテンツデータより視聴コード（設定フレーム番号）を検出し視聴コード（設定フレーム番号）と時刻を記憶する（図５のＳ３）。次に，視聴コード（設定フレーム番号）は終了コード（番号）か判定し（同Ｓ４），終了コードと判定されるとコンテンツ視聴状況と特定部分視聴状況の判定・記憶を行う（同Ｓ５）。特定部分の視聴コード（設定フレーム番号）が終了コード（番号）でないと判定した場合は，コンテンツ再生中であるか判定し（同Ｓ６），再生中でないと上記ステップＳ５に移行し，再生中である場合は視聴コンテンツが変更されたか判定し（同Ｓ７），変更された場合はステップＳ５に移行し，変更されないとステップＳ３に戻って，続く特定部分の視聴コードについての処理について同様の処理を行う。なお，特定部分としては例えば，ＣＭ（広告）等が想定される。
【００２７】
図６は視聴判定データの自動送信のフローチャートであり，図１の送受信部１４において実行される。最初に，現在時間が設定時刻か判定する（図６のＳ１）。この設定時刻は，送受信部１４に対して予め送信時刻（または周期）として設定されているものとする。設定時刻と判定されると，判定データ（上記図４のＳ３またはＳ４で判定して記憶された判定データ）が有るか無いかを判定し（図６のＳ２），無い場合には処理を終了し，有る場合はコンテンツヘッドデータと判定データを送信する（同Ｓ３）。送信先は図１に示すサービスセンタ３である。ステップＳ１において設定時刻になっていないと判定されると，視聴コード（設定フレーム番号）は終了コード（番号）であるか判定し（図６のＳ４），終了コード（番号）である場合は視聴状況の判定・記憶を行い（同Ｓ５），ステップＳ３に移行する。ステップＳ４において終了コード（番号）でないと判定されると，ステップＳ１に戻る。なお，図６のステップＳ１は設定時刻になったかの判定をしているが，コンテンツ再生終了時点や，コンテンツ再生を途中で止めた場合（不良視聴）でも，判定データの送信を開始するきっかけにすることができる。
【００２８】
図７は視聴判定データの手動送信のフローチャートであり，最初に判定データ送信操作の有／無を判定し（図７のＳ１），操作が有ると判定データの有／無を判定し（同Ｓ２），判定データが有るとコンテンツヘッドデータと判定データを送信し（同Ｓ３），判定データが無い場合はユーザに対し（図１の再生・表示部１０へ）メッセージ表示を行う（同Ｓ４）。この手動送信は，利用者が送信操作を行うことで送信を行うが，市販コンテンツなどを再生した場合に，利用者が送信を希望する時はそれを可能とする。
【００２９】
上記図６のように視聴状況の判定結果をサービスセンタ３へ自動送信するか，図７に示すように利用者による手動送信させるかは，利用者により何れでも選択可能とすることができる。
【００３０】
図８はサービスセンタの受付の処理フローである。サービスセンタで受信・再生端末からのデータを受信すると（図８のＳ１），視聴データ受付方法コードを検出して判別する（同Ｓ２）。続いて，視聴データ受付方法毎に受付結果を判定し（図８のＳ３），付加価値処理と受付結果を受信・再生端末に送信する（同Ｓ４）。受信・再生端末ではこれを受信して結果を表示する（図８のＳ５）。
【００３１】
なお，サービスセンタでの受付方法には，(1) 正規の視聴がなされた場合のみ,(2)正規の視聴で且つ受付順，(3) 正規の視聴で且つ制限時間内，(4) 正規の視聴で且つ制限時間内での受付順，があり，それぞれはコンテンツの種類や付加価値の与え方により決められる。例えば，放送の場合は，番組終了後の早い順（上記(2))である。なお，この受付結果（付加価値，例えばポイントを含む）は，サービスセンタから通信回線を介して受信・再生端末に対して送信されて再生・表示部に表示される。
【００３２】
なお，利用者が動画コンテンツを視聴する際に，付加価値付けのコンテンツであることを識別する方法としては，紙やＥＰＧ（Electronic Program Guide）のガイドでの通知や，動画コンテンツ再生の最初にアナウンスする方法等を採ることができる。
【００３３】
図９は動画コンテンツに視聴コード等を挿入する構成を示し，コンテンツの元となる動画データに対し，本発明による視聴コードとコンテンツヘッドデータを挿入するための構成である。図中，７０は加算処理部，７１はタイミング発生部，７２は視聴コード発生部，７３はコンテンツヘッドデータ発生部，７４は設定部である。
【００３４】
元の動画データからタイミング発生部７１はフレーム番号と画像データ（信号構成）からコードを挿入するタイミングを計る。そのタイミングで視聴コード発生部７２は視聴コードを発生して加算処理部７０に供給して動画データに対して視聴コードを挿入する。視聴コードが挿入された動画データに対して，最後にコンテンツヘッドデータを加えてコンテンツデータとして出力する。設定部７４はタイミング発生部７１，視聴コード発生部７２及びコンテンツヘッドデータ発生部７３に対して視聴コードを挿入するタイミングや視聴コードの数，番号等を予め設定する機能を備える。
【００３５】
（付記１）  放送または記録媒体の動画コンテンツを受信・再生端末において順番に正規に視聴したかを判定する動画コンテンツ視聴判定システムにおいて，前記動画コンテンツには順番に変化するユニークなコードである視聴コードまたはフレーム番号を予め決められた一定間隔毎に挿入し，前記動画コンテンツが入力される受信・再生端末は，前記動画コンテンツの再生・表示手段で再生した信号から前記視聴コードまたはフレーム番号を読み取るコード読取部と，前記コード読取部で読み取った前記視聴コードまたはフレーム番号とその読取時の時刻を記憶する時間測定・記憶部と，前記時間測定・記憶部に記憶したデータから，動画コンテンツを正規に視聴したか判定して保持する判定部とを備え，前記判定部による判定結果を通信回線を介して外部へ送信する送受信部を備えることを特徴とする動画コンテンツ視聴判定システム。
【００３６】
（付記２）  付記１において，前記視聴コードまたはフレーム番号を挿入する間隔を，視聴状況の確認・判定に対して要求される精度に応じて変化させることを特徴とする動画コンテンツ視聴判定システム。
【００３７】
（付記３）  付記１において，前記動画コンテンツの先頭位置にコンテンツヘッドデータを設定し，該コンテンツヘッドデータとして前記視聴コードまたはフレーム番号の先頭番号や終了番号と共に視聴コードまたはフレーム番号が出現する間隔（時間）が設定され，前記判定部は，前記時間測定・記憶部で動画コンテンツの再生により記憶した視聴コードまたはフレーム番号の読取時の時刻情報から再生時の間隔を測定し，前記コンテンツヘッドデータに設定された間隔の範囲であるかを判定することにより正規に視聴したか判定することを特徴とする動画コンテンツ視聴判定システム。
【００３８】
（付記４）  付記１において，前記動画コンテンツの中の特定の部分に対して，前記視聴コードまたはフレーム番号とは異なる構成の特定視聴コードまたはフレーム番号を設定し，前記読取部は前記特定視聴コードまたはフレーム番号を読取って，前記時間測定・記憶部に読取時の時刻と共に記憶し，前記判定部は，前記時間測定・記憶部に記憶した前記特定視聴コードまたはフレーム番号のデータから，前記動画データ中の特定の部分を正規に視聴したか判定することを特徴とする動画コンテンツ視聴判定システム。
【００３９】
（付記５）  付記１乃至３において，前記動画コンテンツ中の最終視聴コードまたは最終フレーム番号を前記読取り部で検出するか，または予め設定された時間になると，前記判定部の判定結果を前記送受信部からサービスセンタへ送信することを特徴とする動画コンテンツ視聴判定システム。
【００４０】
（付記６）  付記１乃至３において，前記動画コンテンツ中の最終視聴コードまたは最終フレーム番号を前記読取り部で検出するか，または予め設定された時間になると，前記判定部の判定結果を前記送受信部からサービスセンタへ送信するか，前記送受信部が手動操作により駆動されることにより前記判定部の判定結果を送信するかの何れかに選択可能とすることを特徴とする動画コンテンツ視聴判定システム。
【００４１】
（付記７）  付記２において，前記コンテンツヘッドデータに，視聴データ受付方法コードを設定し，前記送受信部から送信される判定結果を受付けるサービスセンタは，前記受付方法コードを判別し，正規の視聴がなされたもののみか，正規の視聴で且つ受付順か，正規の視聴で且つ制限時間内か，正規の視聴で且つ制限時間内での受付順かを読取り，前記受信・再生端末の利用者に対する付加価値を与えることを特徴とする動画コンテンツ視聴判定システム。
【図面の簡単な説明】
【００４２】
【図１】本発明の基本構成を示す図である。
【図２】本発明による動画コンテンツの構成例を示す図である。
【図３】コンテンツ視聴コード確認のフローチャートを示す図である。
【図４】正規視聴判定のフローチャートを示す図である。
【図５】特定部分のコンテンツ視聴確認のフローチャートを示す図である。
【図６】視聴判定データの自動送信のフローチャートを示す図である。
【図７】視聴判定データの手動送信のフローチャートを示す図である。
【図８】サービスセンタの受付の処理フローを示す図である。
【図９】動画コンテンツに視聴コード等を挿入する構成を示す図である。
【図１０】提案された方法の動作シーケンスを示す図である。
【符号の説明】
【００４３】
１        受信・再生端末
１０      再生・表示部
１１      コード（番号）読取部
１２      時間測定・記憶部
１３      判定部
１４      送受信部
２        通信回線
３        サービスセンタ
４        録画・再生端末
５        放送局
６        市販コンテンツ
【図１】
2009017443.tif 000003
【図２】
2009017443.tif 000004
【図３】
2009017443.tif 000005
【図４】
2009017443.tif 000006
【図５】
2009017443.tif 000007
【図６】
2009017443.tif 000008
【図７】
2009017443.tif 000009
【図８】
2009017443.tif 000010
【図９】
2009017443.tif 000011
【図１０】
2009017443.tif 000012